(57)【要約】【課題】両面記録を行う際に、両面それぞれの画像の有無や記録されるオブジェクトのレイアウトを考慮することによって、必要以上にインク付与量すなわち濃度が低減されない良好な画像を出力可能な記録装置を提供する。【解決手段】表面と裏面のオブジェクトのレイアウトの関係に基づいて、各オブジェクトにおける画像データ処理方法を設定する。これにより、必要以上にインクの付与量を低減することなく、好ましい濃度で両面記録を実行することが可能となる。【選択図】図２
2010274582.tif 000002
【特許請求の範囲】
【請求項１】
表面の画像データと裏面の画像データに基づいて記録媒体の両面に記録を行うための両面記録制御方法であって、
前記表面の画像データから記録を行うべきオブジェクト領域を抽出する工程と、
前記オブジェクト領域の表面に対する前記表面の画像データの記録量と、前記オブジェクト領域の反対面に対する前記裏面の画像データによる記録量とから、前記オブジェクト領域に対する記録量の総和を取得する工程と、
前記記録量の総和を予め用意された閾値と比較する比較工程と、
該比較工程において、前記記録量の総和が前記閾値以上であると判断した場合は前記オブジェクト領域に対する前記表面の画像データに第１の画像データ処理を実行し、前記記録量の総和が前記閾値未満であると判断した場合は前記オブジェクト領域に対する前記表面の画像データに第２の画像データ処理を実行することによって、記録データを生成する工程と、
前記記録データに従って前記記録媒体に画像を記録する工程と
を有し、
前記第１の画像データ処理は前記第２の画像データ処理に比べて、処理後の記録データで記録を行った際の前記記録媒体へのインクの付与量が、低く抑えられていることを特徴とする両面記録制御方法。
【請求項２】
前記裏面の画像データから記録を行うべきオブジェクト領域を抽出する工程と、
前記オブジェクト領域の裏面に対する前記裏面の画像データの記録量と、前記オブジェクト領域の反対面に対する前記表面の画像データによる記録量とから、前記オブジェクト領域に対する記録量の総和を取得する工程と、
前記記録量の総和を予め用意された前記閾値と比較する比較工程と、
該比較工程において、前記記録量の総和が前記閾値以上であると判断した場合は前記オブジェクト領域に対する前記裏面の画像データに第１の画像データ処理を実行し、前記記録量の総和が前記閾値未満であると判断した場合は前記オブジェクト領域に対する前記裏面の画像データに第２の画像データ処理を実行することによって、記録データを生成する工程と、
をさらに有することを特徴とする請求項１に記載の両面記録制御方法。
【請求項３】
前記第１の画像データ処理は予め用意された第１の画像処理テーブルを使用することにより実行され、前記第２の画像データ処理は前記第１の画像処理テーブルとは異なる第２の画像処理テーブルを使用することにより実行されることを特徴とする請求項１または２に記載の両面記録制御方法。
【請求項４】
表面の画像データと裏面の画像データに基づいて記録媒体の両面に記録を行うための記録制御方法であって、
前記表面の画像データから記録を行うべき複数のオブジェクト領域を抽出する工程と、
前記複数のオブジェクト領域のそれぞれに対する前記表面の画像データの記録量と前記裏面の画像データによる記録量とから、前記複数のオブジェクト領域のそれぞれに対する記録量の総和を取得する工程と、
前記複数のオブジェクト領域のそれぞれに対する前記記録量の総和を予め用意された閾値と比較する比較工程と、
該比較工程において、前記複数のオブジェクト領域の少なくとも１つにおいて前記記録量の総和が前記閾値以上であると判断した場合は、前記表面の画像データの全体に第１の画像データ処理を実行し、前記複数のオブジェクト領域の全てにおいて前記記録量の総和が前記閾値未満であると判断した場合は前記表面の画像データの全体に第２の画像データ処理を実行することによって、記録データを生成する工程と、
前記記録データに従って前記記録媒体に画像を記録する工程と
を有し、
前記第１の画像データ処理は前記第２の画像データ処理に比べて、処理後の記録データで記録を行った際の前記記録媒体へのインクの付与量が、低く抑えられていることを特徴とする両面記録制御方法。
【請求項５】
複数の表面の画像データと複数の裏面の画像データに基づいて複数の記録媒体の両面に記録を行うための記録制御方法であって、
前記複数の表面の画像データから記録を行うべき複数のオブジェクト領域を抽出する工程と、
前記複数のオブジェクト領域のそれぞれに対する前記複数の表面の画像データの記録量と前記複数の裏面の画像データによる記録量とから、前記複数のオブジェクト領域のそれぞれに対する記録量の総和を取得する工程と、
前記複数のオブジェクト領域のそれぞれに対する前記記録量の総和を予め用意された閾値と比較する比較工程と、
該比較工程において、前記複数のオブジェクト領域の少なくとも１つにおいて前記記録量の総和が前記閾値以上であると判断した場合は、前記複数の表面の画像データの全体に第１の画像データ処理を実行し、前記複数のオブジェクト領域の全てにおいて前記記録量の総和が前記閾値未満であると判断した場合は前記複数の表面の画像データの全体に第２の画像データ処理を実行することによって、記録データを生成する工程と、
前記記録データに従って前記記録媒体に画像を記録する工程と
を有し、
前記第１の画像データ処理は前記第２の画像データ処理に比べて、処理後の記録データで記録を行った際の前記記録媒体へのインクの付与量が、低く抑えられていることを特徴とする両面記録制御方法。
【請求項６】
前記記録量とは、前記オブジェクト領域に対する画像データから得られる濃度値であることを特徴とそる請求項１乃至４のいずれかに記載の両面記録制御方法。
【請求項７】
前記記録量とは、前記オブジェクト領域に対する画像データから得られるＲＧＢ値であることを特徴とそる請求項１乃至４のいずれかに記載の両面記録制御方法。
【請求項８】
表面の画像データと裏面の画像データに基づいて記録媒体の両面に記録を行うための記録装置であって、
前記表面の画像データから記録を行うべきオブジェクト領域を抽出する手段と、
前記オブジェクト領域の表面に対する前記表面の画像データの記録量と、前記オブジェクト領域の反対面に対する前記裏面の画像データによる記録量とから、前記オブジェクト領域に対する記録量の総和を取得する手段と、
前記記録量の総和を予め用意された閾値と比較する比較手段と、
該比較手段において、前記記録量の総和が前記閾値以上であると判断した場合は前記オブジェクト領域に対する前記表面の画像データに第１の画像データ処理を実行し、前記記録量の総和が前記閾値未満であると判断した場合は前記オブジェクト領域に対する前記表面の画像データに第２の画像データ処理を実行することによって、記録データを生成する手段と、
前記記録データに従って前記記録媒体に画像を記録する手段と
を備え、
前記第１の画像データ処理は前記第２の画像データ処理に比べて、処理後の記録データで記録を行った際の前記記録媒体へのインクの付与量が、低く抑えられていることを特徴とする記録装置。
【発明の詳細な説明】
【技術分野】
【０００１】
本発明は、記録媒体の両面に記録を行うことが可能な記録装置に関する。特に、インクを付与して画像を形成するインクジェット記録装置において、両面記録に伴うインク付与量が過剰になることを防止するための両面記録制御方法に関する。
【背景技術】
【０００２】
近年のインクジェット記録装置では、普通紙などの記録媒体に自動で両面記録を行うことが可能になっている。このような両面記録では、記録媒体の片面に記録を行う場合に比べて、記録媒体へのインク付与量が多くなることが予想される。そして、記録媒体の単位面積に両面から付与されるインク量の和が当該単位面積で吸収可能な量を超えてしまった場合には、記録媒体でインクが吸収しきれなくなる恐れが生じる。また、たとえ、その量のインクを吸収することが出来たとしても、インクが乾燥し定着するまでに多大な時間を要したり、乾燥中に接触した他の記録媒体や装置内を汚染してしまったりと、様々な不具合が懸念されるようにもなる。
【０００３】
このような不具合に対応するため、例えば特許文献１には、記録装置に両面記録が設定された場合には、表面と裏面の両方で、片面記録の場合よりもインク付与量を減少させる記録制御方法が提案されている。また、このような方法を採用すれば、印刷後の記録媒体を観察する際にも、裏面の画像が観察面に写り出る現象（裏写り）を抑制することも説明されている。
【０００４】
また、特許文献２には、このようなインク付与量の低減を行った際に観察面全体の濃度バランスが崩れないように、観察面（ページ）全体に渡ってインクの付与量を一様に低減する方法が開示されている。
【０００５】
さらに、特許文献３には、両面記録が設定された場合のみ、乾燥時間やにじみの少ないインクを使用する構成が開示されている。
【先行技術文献】
【特許文献】
【０００６】
【特許文献１】特開平９−２５４３７６号公報
【特許文献２】特開２００５−２７１４１５号公報
【特許文献３】特開２００６−２１８６６１号公報
【発明の概要】
【発明が解決しようとする課題】
【０００７】
しかしながら、実際に両面記録を実行する画像は、必ずしもインク付与量の低減が必要になる程高濃度なものばかりではない。例えば、画像内のオブジェクト（記録する部分）が表面と裏面で重複していない場合は、記録媒体の個々の単位領域では片面記録と同じ状態でインクを吸収することができるので、インクの付与量を低減する必要性は少なくなる。また、ユーザによって両面記録が設定された場合であっても、実際には片面分しか記録すべき画像データが存在しない場合もあり得る。
【０００８】
このような場合であっても、従来の両面記録では、両面記録が設定された時点で一義的に両面のインク付与量を低減してしまっていた。すなわち、必要以上にインク付与量を低減し画像の濃度を必要以上に低下させてしまっていたのである。
【０００９】
本発明は、上述した課題に鑑みてなされたものである。よって、その目的とするところは、両面記録を行う際に、両面それぞれの画像の有無や記録されるオブジェクトのレイアウトを考慮することによって、必要以上にインク付与量すなわち濃度が低減されない良好な画像を出力可能な記録装置を提供することである。
【課題を解決するための手段】
【００１０】
上記課題を解決するための本発明は、表面の画像データと裏面の画像データに基づいて記録媒体の両面に記録を行うための両面記録制御方法であって、前記表面の画像データから記録を行うべきオブジェクト領域を抽出する工程と、前記オブジェクト領域の表面に対する前記表面の画像データの記録量と、前記オブジェクト領域の反対面に対する前記裏面の画像データによる記録量とから、前記オブジェクト領域に対する記録量の総和を取得する工程と、前記記録量の総和を予め用意された閾値と比較する比較工程と、該比較工程において、前記記録量の総和が前記閾値以上であると判断した場合は前記オブジェクト領域に対する前記表面の画像データに第１の画像データ処理を実行し、前記記録量の総和が前記閾値未満であると判断した場合は前記オブジェクト領域に対する前記表面の画像データに第２の画像データ処理を実行することによって、記録データを生成する工程と、前記記録データに従って前記記録媒体に画像を記録する工程とを有し、前記第１の画像データ処理は前記第２の画像データ処理に比べて、処理後の記録データで記録を行った際の前記記録媒体へのインクの付与量が、低く抑えられていることを特徴とする。
【００１１】
また、表面の画像データと裏面の画像データに基づいて記録媒体の両面に記録を行うための記録制御方法であって、前記表面の画像データから記録を行うべき複数のオブジェクト領域を抽出する工程と、前記複数のオブジェクト領域のそれぞれに対する前記表面の画像データの記録量と前記裏面の画像データによる記録量とから、前記複数のオブジェクト領域のそれぞれに対する記録量の総和を取得する工程と、前記複数のオブジェクト領域のそれぞれに対する前記記録量の総和を予め用意された閾値と比較する比較工程と、該比較工程において、前記複数のオブジェクト領域の少なくとも１つにおいて前記記録量の総和が前記閾値以上であると判断した場合は、前記表面の画像データの全体に第１の画像データ処理を実行し、前記複数のオブジェクト領域の全てにおいて前記記録量の総和が前記閾値未満であると判断した場合は前記表面の画像データの全体に第２の画像データ処理を実行することによって、記録データを生成する工程と、前記記録データに従って前記記録媒体に画像を記録する工程とを有し、前記第１の画像データ処理は前記第２の画像データ処理に比べて、処理後の記録データで記録を行った際の前記記録媒体へのインクの付与量が、低く抑えられていることを特徴とする。
【００１２】
また、複数の表面の画像データと複数の裏面の画像データに基づいて複数の記録媒体の両面に記録を行うための記録制御方法であって、前記複数の表面の画像データから記録を行うべき複数のオブジェクト領域を抽出する工程と、前記複数のオブジェクト領域のそれぞれに対する前記複数の表面の画像データの記録量と前記複数の裏面の画像データによる記録量とから、前記複数のオブジェクト領域のそれぞれに対する記録量の総和を取得する工程と、前記複数のオブジェクト領域のそれぞれに対する前記記録量の総和を予め用意された閾値と比較する比較工程と、該比較工程において、前記複数のオブジェクト領域の少なくとも１つにおいて前記記録量の総和が前記閾値以上であると判断した場合は、前記複数の表面の画像データの全体に第１の画像データ処理を実行し、前記複数のオブジェクト領域の全てにおいて前記記録量の総和が前記閾値未満であると判断した場合は前記複数の表面の画像データの全体に第２の画像データ処理を実行することによって、記録データを生成する工程と、前記記録データに従って前記記録媒体に画像を記録する工程とを有し、前記第１の画像データ処理は前記第２の画像データ処理に比べて、処理後の記録データで記録を行った際の前記記録媒体へのインクの付与量が、低く抑えられていることを特徴とする。
【００１３】
さらに、表面の画像データと裏面の画像データに基づいて記録媒体の両面に記録を行うための記録装置であって、前記表面の画像データから記録を行うべきオブジェクト領域を抽出する手段と、前記オブジェクト領域の表面に対する前記表面の画像データの記録量と、前記オブジェクト領域の反対面に対する前記裏面の画像データによる記録量とから、前記オブジェクト領域に対する記録量の総和を取得する手段と、前記記録量の総和を予め用意された閾値と比較する比較手段と、該比較手段において、前記記録量の総和が前記閾値以上であると判断した場合は前記オブジェクト領域に対する前記表面の画像データに第１の画像データ処理を実行し、前記記録量の総和が前記閾値未満であると判断した場合は前記オブジェクト領域に対する前記表面の画像データに第２の画像データ処理を実行することによって、記録データを生成する手段と、前記記録データに従って前記記録媒体に画像を記録する手段とを備え、前記第１の画像データ処理は前記第２の画像データ処理に比べて、処理後の記録データで記録を行った際の前記記録媒体へのインクの付与量が、低く抑えられていることを特徴とする。
【発明の効果】
【００１４】
本発明によれば、表面と裏面のオブジェクトのレイアウトの関係に基づいて、各オブジェクトにおける画像データ処理方法を設定するにより、必要以上にインクの付与量を低減することなく、好ましい濃度で両面記録を実行することが可能となる。
【図面の簡単な説明】
【００１５】
【図１】本発明の実施形態で採用可能な記録装置の制御の構成を説明するための概略ブロック図である。
【図２】コントローラが、両面記録が指定された場合に実行する各工程を説明するためのフローチャートである。
【図３】判断部におけるオブジェクトの抽出状態を説明するための模式図である。
【図４】図３で抽出したオブジェクトのレイアウトと、これを表裏反転したレイアウトを示す図である。
【図５】両面記録時に画像処理テーブルを選択するための判断方法を説明するための模式図である。
【図６】（ａ）および（ｂ）は、本実施形態における画像データ処理を実行した際の、個々のオブジェクト領域におけるインク付与量の低減状態を説明するための図である。
【図７】ページ内で画像処理テーブルを統一する場合を示した模式図である。
【図８】複数のページを含む１つのジョブで画像処理テーブルを統一する場合を示した模式図である。
【発明を実施するための形態】
【００１６】
以下に本発明の実施形態における両面記録制御方法を詳細に説明する。
【００１７】
図１は、本実施形態で採用可能な記録装置の制御の構成を説明するための概略ブロック図である。本実施形態の記録装置２０は、外部に接続されたホストコンピュータなどの画像形成装置１０から記録すべき画像を受信する構成になっている。
【００１８】
コントローラ２８は、ハードディスク２２に格納されているプログラムやパラメータを用いて、記録装置２０全体の制御を司る。この際メモリ２１は、コントローラ２８が各種処理を実行する際のワークエリアとして利用される。一方、操作パネル２３は、記録にかかわるコマンドを受信する手段であり、ユーザは操作パネルを利用して記録媒体の種類や記録品位、また両面記録であるか片面記録であるかなどを設定することが出来る。コントローラ２８は、操作パネル２３から受信したコマンドに従って、画像形成装置１０から入力した画像データを処理し、処理後の記録データを記録ヘッド２０によって記録させる。
【００１９】
伸張器２７は、画像形成装置１０から受信した画像データを拡張するのに用いられる。コントローラ２８は、拡張器２７によって拡張した画像データをメモリ２１に展開し、インク量調整部２２に格納されている画像処理テーブルを利用しながら各種画像データ処理を施し、記録ヘッド２０によって記録可能な記録データを生成する。
【００２０】
両面記録が指定された場合、コントローラ２８は判断部２５を用いてメモリ２１に展開されている表裏の画像データを解析し、表面と裏面それぞれに付与されるインク量（記録量）から、適切な画像処理テーブルを判断する。そのために、判断部２５には、それぞれの記録媒体に記録可能なインク量に相関する記録量が記録媒体ごとに予め閾値として記憶されている。この記録量は、記録媒体の単位領域に対して付与されるインク量に相関する値であればよく、例えば濃度値などのパラメータであってもよいし、複数のインクを用いるカラー記録装置であれば、入力信号から得られるＲＧＢ値であってもよい。コントローラ２８は、表面と裏面の記録量が当該閾値を超えた場合のみ、インク量調整部２６に予め格納されている両面記録用の第１の画像処理テーブルを用いて表面と裏面の画像データを変換する。一方、表面と裏面の記録量が閾値を超えなかった場合は、インク量調整部２６に予め格納されている片面記録用の第２の画像処理テーブルを用いて表面と裏面の画像データを変換する。両面記録用の第１の画像処理テーブルは片面記録用の第２の画像処理テーブルよりも記録量を抑制するように作成されており、記録媒体の種類に見合った適切なインク量に基づく両面記録が可能となる。
【００２１】
図２は、コントローラ２８が、両面記録が指定された場合に実行する各工程を説明するためのフローチャートである。
【００２２】
本処理が開始されると、コントローラ２８は、まず画像形成装置１０より記録すべき画像データを受信し（ステップＳ１）、伸張器２７によってこれを伸張し、表面の画像データと裏面の画像データを一組にしてメモリ２１に展開する（ステップＳ２）。
【００２３】
ステップＳ３では、展開した表面の画像データと裏面の画像データの両方に、記録すべき画像データが存在するか否かを判断する。どちらにも記録すべき画像データが存在すると判断した場合は、両面記録用の画像データ処理を施すために、ステップＳ４に進む。一方、少なくともどちらか一方には記録すべき画像データが存在しないと判断した場合は、ステップＳ９へ進み、片面記録の場合と等しい第２の画像処理テーブルを用いて記録ヘッド２０が記録可能な記録データを生成する。
【００２４】
続くステップＳ４〜ステップＳ７において、コントローラ２８は、判断部２５を用いてメモリ２１に展開した記録データをチェックし、両面記録を行う際にインク付与量（記録量を）低減する必要があるか否かを判断する。以下、判断部２５によって実行するチェック方法を具体的に説明する。
【００２５】
ステップＳ４において、判断部２５は、メモリ２１に展開された表裏の画像データのうち、まず表面の画像データを処理の対象となるチェックページとし、チェックページ内に含まれるオビジェクトを矩形で抽出する。
【００２６】
図３は、判断部２５におけるオブジェクトの抽出状態を説明するための模式図である。ここでは、記録媒体Ｐの領域のうち、上部左に円状のオブジェクトと下部中央に５角形のオブジェクトが存在する場合を示している。このような画像の場合、判断部２５は、右図の点線で示したような矩形でそれぞれのオブジェクトを囲むことによって、２つのオブジェクト領域をそれぞれ抽出し、これらオブジェクトのページ内の位置と大きさ、すなわちレイアウトを把握する。
【００２７】
次に、ステップＳ５において、判断部２５はステップＳ４で把握したレイアウトの表裏反転（左右反転）を行い、記録媒体の反対面に対する表面のオブジェクトの位置を求める。図４は、図３で抽出したオブジェクトのレイアウト（左）と、これを表裏反転したレイアウト（右）を示している。
【００２８】
続くステップＳ６以降の各工程は、抽出したオブジェクト領域ごとに実行する。ステップＳ６において判断部２５は、裏面の画像データをチェックし、注目するオブジェクト領域の中に、裏面の画像データが含まれるか否かを判断する。
【００２９】
図５は、ステップＳ６で実行する判断方法を説明するための模式図である。ここでは、裏面の画像データとして、左上に六角形オブジェクト、下中央に正方形のオブジェクトが配置する例を示している。判断部２５は、これら裏面の画像データのオブジェクトが、表面の注目するオブジェクト領域に所定量以上含まれるか否かを判断する。裏面の画像データが、表面の注目するオブジェクト領域に所定量以上含まれないと判断した場合は、表面の注目するオブジェクト領域については、片面記録と等しい画像データ処理（第２の画像データ処理）を施すため、ステップＳ９へ進む。一方、裏面の画像データのオブジェクトが、表面の注目するオブジェクト領域に所定量以上含まれている場合は、ステップＳ７に進む。
【００３０】
図５の例では、表面の上部に位置するオブジェクト領域については、裏面の２つのオブジェクトのいずれとも重なっていないので、裏面の画像データが所定量以上含まれないと判断し、ステップＳ９に進む。一方、表面の下部に位置するオブジェクト領域については、裏面の下中央にある正方形のオブジェクトと重なり合っているので、裏面の画像データのオブジェクト領域が表面のオブジェクトの位置に所定量以上含まれていると判断し、ステップＳ７に進む。
【００３１】
ステップＳ７では、表面の注目するオブジェクト領域における記録量の総和を取得する。具体的には、注目するオブジェクト領域に含まれる表面の画像データと裏面の画像データとから、当該領域の単位領域当たりに付与されるインク量に相関する値（記録量）を算出する。そして、取得した記録量の総和を予め用意された閾値と比較し、記録量が閾値以上であった場合には、当該オブジェクト領域については両面記録用の画像データ処理（第１の画像データ処理）が必要と判断し、ステップＳ８に進む。一方、記録量の総和が閾値未満であった場合には、注目するオブジェクト領域については、通常の片面記録と同じ画像データ処理（第２の画像データ処理）で良いと判断し、ステップＳ９に進む。なお、上記閾値は記録媒体の種類ごとに、予め判断手段に格納されている。
【００３２】
ステップＳ８およびステップＳ９では、それぞれ指定された画像データ処理用のテーブルを用いて、注目するオブジェクト領域の画像データ処理を行い、記録ヘッド２０で記録可能な記録データを生成する。ステップＳ８で使用する画像データ処理用のテーブルはステップＳ９で使用する画像データ処理用のテーブルに比べて、変換後の記録データで記録を行った際に、注目するオブジェクト領域へのインクの付与量が低く抑えられるようになっている。
【００３３】
ステップＳ８あるいはステップＳ９における画像データ処理が終了すると、コントローラ２８は、ステップＳ１０において表面におけるまだ画像データ処理を行っていないオブジェクト領域があるか否かを判断する。まだ未処理のオブジェクト領域が存在する場合には、次の注目オブジェクト領域の処理を行うために、ステップＳ５に戻る。一方、全てのオブジェクトについて処理が終了した場合はステップＳ１１に進む。
【００３４】
ステップＳ１１では、今回処理したチェックページが表面であるか裏面であるかを判断し、表面である場合にはチェックページを裏面に移して（ステップＳ１２）、裏面データのための画像データ処理を行うためにステップＳ４に戻る。一方、ステップＳ１１で今回処理したチェックページが裏面側であると判断した場合には、本処理を終了する。
【００３５】
図６（ａ）および（ｂ）は、本実施形態における画像データ処理を実行した際の、個々のオブジェクト領域におけるインク付与量の低減状態を説明するための図である。図６（ａ）は表面における３つのオブジェクト（実線）と抽出したオブジェクト領域（点線）を示している。また同図（ｂ）は、抽出した３つのオブジェクト領域を表裏反転した位置（点線）と裏面における２つのオブジェクト（実線）を示している。本例においては、表面の３つのオブジェクト領域のうち、上部の楕円と下部の六角形については裏面側にオブジェクトが存在しないため、通常の画像データ処理が実行される。すなわち、ここに付与されるインク量はオリジナルデータに対して低減されない。一方、中央に位置する五角形のオブジェクトについては、裏面側にオブジェクトが存在するため、両面記録用の画像データ処理が実行される。すなわち、ここに付与されるインク量はオリジナルデータに対して低減される。
【００３６】
このように、以上説明した本実施形態によれば、個々のオブジェクトについて、その裏面に所定量以上のインク付与が懸念される画像データが存在する場合限って、注目するオブジェクト領域へのインク付与量が低減されるような画像データ処理を実行する。よって、それぞれのオブジェクトについてインクの付与量が適量に調整されるので、従来の両面記録のように必要以上にインク付与量を下げ必要以上に画像濃度を低減させることなく、好ましい濃度で両面への画像出力を実行することが可能となる。
【００３７】
（その他の実施形態）
上記実施形態では、図２のフローチャートで説明したように、それぞれのオブジェクトについてインクの付与量を適量に調整する方法を説明した。しかしながら、このように出力された画像においては、ページ内や同じジョブ内の異なるページに存在する複数のオブジェクトの間で濃度の違いが目立つ場合も懸念される。このような場合、例えばページ間や一連のジョブを単位として、使用する画像処理テーブルを統一するようにしても良い。
【００３８】
図７は、ページ内で画像処理テーブルを統一する場合を図６と等しいオブジェクトの例を用いて示した模式図である。このような場合、上部の楕円と下部の六角形については裏面側にオブジェクトが存在していなくても、中央に位置する五角形のオブジェクトの裏面側にはオブジェクトが存在するため、ページ全体に渡って両面記録用の画像データ処理が実行される。すなわち、ページ全体に渡って、付与されるインク量はオリジナルデータに対して低減され、ページ内の複数のオブジェクトで濃度のばらつきが認識されることは無い。
【００３９】
また、図８は、複数のページを含む１つのジョブで画像処理テーブルを統一する場合を示した模式図である。この場合、ページ３とページ４の様に表面と裏面のオブジェクトが全く重ならないページが存在しても、ページ１とページ２の様に表面と裏面のオブジェクトが部分的に重なるページが存在する場合には、全てのページで両面記録用の画像データ処理を実行する。すなわち、ジョブ内全てのページにおいて、付与されるインク量はオリジナルデータに対して低減され、ジョブ全体に渡る複数のオブジェクトで濃度のばらつきが認識されることは無い。
【００４０】
但し、図７や図８で説明したような処理は図６で説明した処理に比べてオリジナルデータに対して、より多くの領域で濃度が低減されてしまう。よって、例えば、ユーザがどの範囲で画像処理テーブルを統一するかを選択出来るように、図１で説明した操作パネル２３にそのような選択手段が設けられていてもよい。
【００４１】
以上説明したように本発明によれば、表面のオブジェクトのレイアウトと裏面のオブジェクトのレイアウトの関係に基づいて、各オブジェクトにおける画像データ処理方法を設定する。これにより、必要以上にインクの付与量を低減することなく、好ましい濃度で両面記録を実行することが可能となる。
【符号の説明】
【００４２】
１０  画像形成装置
２０  記録装置
２１  メモリ
２２  ハードディスク
２３  操作パネル
２４  記録ヘッド
２５  判断手段
２６  インク量調整部
２７  伸張器
２８  コントローラ
【図１】
2010274582.tif 000003
【図２】
2010274582.tif 000004
【図３】
2010274582.tif 000005
【図４】
2010274582.tif 000006
【図５】
2010274582.tif 000007
【図６】
2010274582.tif 000008
【図７】
2010274582.tif 000009
【図８】
2010274582.tif 000010